(57)【要約】【課題】止水壁を安定した状態で支持することにより、設置作業を行い易くする。【解決手段】本発明の止水壁装置１は、横断面円形の管渠２の下部を流れる水流を堰き止め可能な大きさに形成され、かつ管渠２の内周面２ａに水密的に圧着可能な外周面を有する止水壁６と、止水壁６を表裏方向に貫通する通水口７と、止水壁６を管渠２の内周面２ａに圧着させて固定する固定手段１０と、止水壁６を表裏方向の一方又は両方から支持する支持脚２７とを備える。【選択図】      図１
2010222877.tif 000002
【特許請求の範囲】
【請求項１】
横断面円形の管渠の下部を流れる水流を堰き止め可能な大きさに形成され、かつ前記管渠の内周面に水密的に圧着可能な外周面を有する止水壁と、
前記止水壁を表裏方向に貫通する通水口と、
前記止水壁を前記管渠の内周面に圧着させて固定する固定手段と、
前記止水壁を表裏方向の一方又は両方から支持する支持脚と、を備えていることを特徴とする管渠の止水壁装置。
【請求項２】
前記支持脚が、前記管渠の幅方向の中心線を挟んで幅方向両側に設けられている請求項１に記載の管渠の止水壁装置。
【請求項３】
前記支持脚が、前記止水壁の表裏方向両側に設けられている請求項１又は２に記載の管渠の止水壁装置。
【請求項４】
前記支持脚が、前記止水壁に対して着脱可能に設けられている請求項１〜３のいずれかに記載の管渠の止水壁装置。
【請求項５】
前記固定手段が、前記止水壁の上縁部の幅方向両側から上方へ延び、上端部が前記管渠の内周面の近傍に配置される一対の支持アームと、この一対の支持アームの上端部間において前記管渠の内周面に沿って配置されるとともに、その長手方向両端部が前記一対の支持アームの上端部に支持される弾性変形可能な固定バンドと、を備えている請求項１〜４のいずれかに記載の管渠の止水壁装置。
【請求項６】
前記一対の支持アームが、前記止水壁の上縁部に沿った収納姿勢と、この収納姿勢から上方に揺動して前記固定バンドを支持する支持姿勢との間で姿勢変更可能に設けられている請求項５に記載の管渠の止水壁装置。
【請求項７】
前記一対の支持アームが、前記止水壁の上縁部に対して幅方向に位置調整可能に設けられている請求項６に記載の管渠の止水壁装置。
【請求項８】
前記止水壁の上縁部が、作業者が握ることができる太さの幅方向に延びる棒材によって構成されている請求項１〜７のいずれかに記載の管渠の止水壁装置。
【請求項９】
前記止水壁が、管渠内の水流を堰き止める透明な止水板を含む請求項１〜８のいずれかに記載の管渠の止水壁装置。
【請求項１０】
前記止水壁が、管渠内の水流を堰き止める止水板と、この止水板の外周部を支持する外側枠体とを備えており、
前記外側枠体が、前記止水板を表裏方向に直交する方向に挿脱自在に差し込み可能な挿入溝を備えている請求項１〜９のいずれかに記載の管渠の止水壁装置。
【請求項１１】
前記止水壁の外周面に、前記管渠の内周面に圧着されることによって弾性変形可能な筒形状のシール部材が設けられている請求項１〜１０のいずれかに記載の管渠の止水壁装置。
【請求項１２】
前記止水壁の外周面に、前記管渠の内周面に圧着されることによって弾性変形可能なリップ部を有するシール部材が設けられている請求項１〜１０のいずれかに記載の管渠の止水壁装置。
【発明の詳細な説明】
【技術分野】
【０００１】
本発明は、下水道管等の地中に埋設された管渠の内部を点検・補修する際に、その管渠内を流れる水流を堰き止めてバイパスするために使用される管渠の止水壁装置に関する。
【背景技術】
【０００２】
下水道の管渠内を点検したり、管渠の補修工事を行ったりする場合、管渠の底部を流れる下水が作業の邪魔になる。このため、管渠内の作業空間の上流側と下流側とに止水壁装置を設けるとともに、両止水壁装置間にバイパス管を通し、上流側の止水壁装置で堰き止めた下水をバイパス管を通して下流側の止水壁装置へバイパスさせることによって、作業空間を確保することが行われている。
【０００３】
下記特許文献１には、上記のような用途で使用される止水壁装置が開示されている。この止水壁装置は、管渠の断面下部を流れる水流を堰き止め可能な大きさに形成され、かつ管渠の内周面に水密的に圧着可能な外周面を有する止水壁と、止水壁を表裏方向（前後方向）に貫通し、バイパス管が接続される通水口と、止水壁を管渠の内周面に圧着させて固定する固定手段と、を備えている。
また、固定手段は、管渠の内周長さと止水壁の外周長さとの差にほぼ等しい長さを有する固定バンドを備えている。そして、この固定バンドを管渠の内周面に沿わせて配置するとともに、固定バンドの長手方向両端部で止水壁の幅方向両端部を下方に押さえ込むことによって、止水壁の外周面を管渠の内周面に圧着させるように構成されている。
【先行技術文献】
【特許文献】
【０００４】
【特許文献１】特開２００４−１３７７７６号公報
【発明の概要】
【発明が解決しようとする課題】
【０００５】
上記止水壁装置は、次のように管渠に設置される。まず、管渠内に止水壁装置を搬入し、止水壁の外周面を管渠の内周面の下部に接触させて人手によって保持する。そして、固定バンドの両端部を止水壁の幅方向両端部に当接させ、固定バンドのほぼ全体を管渠の内周面に沿わせる。これによって、止水壁の外周面が管渠の内周面に圧着され、止水壁が固定される。しかし、止水壁装置の設置作業中、管渠内に下水の流れがあると、水圧によって止水壁が前後方向に傾いたり倒れたりする可能性がある。そのため、人手によって止水壁をしっかりと保持したうえで固定バンドを取り付ける必要があり、設置作業に多大な労力を要していた。
【０００６】
また、特許文献１の止水壁装置では、固定バンドが管渠の内周面の半分又はそれ以上の長さを有しており、その長さは内径の大きい管渠に使用されるものほど長くなる。しかし、固定バンドが長くなると、その重量が大きくなって管渠の内周面に沿わせる作業が困難になるとともに、自重によって固定バンドが下方に撓み、外れ易くなる可能性がある。したがって、特許文献１のような固定バンドを用いた固定方法は、内径が大きな管渠（例えば、φ１５００ｍｍ以上の管渠）には不向きであった。
【０００７】
本発明はこのような問題を解決するためになされたものであり、止水壁を安定した状態で支持することにより、設置作業を行い易くすることができる止水壁装置を提供することを目的とする。
【課題を解決するための手段】
【０００８】
本発明の止水壁装置は、横断面円形の管渠の下部を流れる水流を堰き止め可能な大きさに形成され、かつ前記管渠の内周面に水密的に圧着可能な外周面を有する止水壁と、前記止水壁を表裏方向に貫通する通水口と、前記止水壁を前記管渠の内周面に圧着させて固定する固定手段と、前記止水壁を表裏方向の一方又は両方から支持する支持脚と、を備えていることを特徴とする。
【０００９】
このように本発明の止水壁装置は、止水壁を表裏方向の一方又は両方から支持する支持脚を備えているので、この支持脚によって止水壁が表裏方向に倒れるのを防止することができる。したがって、設置作業の際に管渠内に水流があっても止水壁を安定させることができ、設置作業を容易に行うことが可能となる。
【００１０】
支持脚は、管渠の幅方向の中心線を挟んで幅方向両側に設けられていることが好ましい。また、支持脚は、止水壁の表裏方向の一方側のみに設けられていてもよいが、止水壁の表裏方向両側に設けられていることがより好ましい。これらの構成によって止水壁をより安定して支持することができる。
【００１１】
前記支持脚は、前記止水壁に対して着脱可能に設けられていることが好ましい。止水壁から支持脚を取り外すことによって、止水壁からの突出物を少なくするとともに軽量化することができ、止水壁の運搬や梱包等の取り扱いを容易にすることができる。
【００１２】
前記固定手段は、前記止水壁の上縁部の幅方向両側から上方へ延び、上端部が前記管渠の内周面の近傍に配置される幅方向一対の支持アームと、この一対の支持アームの上端部間において前記管渠の内周面に沿って配置されるとともに、その長手方向両端部が前記一対の支持アームの上端部に支持される弾性変形可能な固定バンドと、を備えていることが好ましい。
このように止水壁の上縁部に幅方向一対の支持アームを備え、この支持アームの上端部によって固定バンドの両端部を支持することによって、従来よりも固定バンドを短くすることができる。そのため、内径が大きな管渠に対しても固定バンドを使用した固定方法を好適に採用することができる。
【００１３】
前記一対の支持アームは、前記止水壁の上縁部に沿った収納姿勢と、この収納姿勢から上方に揺動して前記固定バンドを支持する支持姿勢との間で姿勢変更可能に設けられていることが好ましい。支持アームを収納姿勢とすることによって、運搬や梱包等の取り扱いが容易となり、設置時に支持アームを支持姿勢とすることによって固定バンドの長手方向両端部を適切に支持することができる。
【００１４】
前記一対の支持アームは、前記止水壁の上縁部に対して幅方向に位置調整可能に設けられていることが好ましい。このように支持アームを位置調整可能にした場合、支持アーム間の先端部間の距離を固定バンドの長さ等に応じて調整することが可能となる。
【００１５】
前記止水壁の上縁部は、作業者が握ることができる太さの幅方向に延びる棒材によって構成されていることが好ましい。このような構成によって、当該棒材を取っ手として手に持つことができ、止水壁の運搬等の取り扱いを容易に行うことが可能となる。また、この棒材にロープなどを括り付けることによって、止水壁の姿勢保持が可能となる。
【００１６】
前記止水壁が、管渠内の水流を堰き止める透明な止水板を有していることが好ましい。透明な止水板を有することによって、管渠内を流れる水の水位を作業空間側から確認することができる。
【００１７】
前記止水壁は、管渠内の水流を堰き止める止水板と、この止水板の外周部を支持する外側枠体とを備えており、前記外側枠体が、前記止水板を表裏方向に直交する方向に挿脱自在に差し込み可能な挿入溝を備えていることが好ましい。これによって、外側枠体に対して止水板を簡単に着脱することができる。また、設置作業の際に、外側枠体から止水板を取り外しておけば、管渠内に水流があってもその影響を受けることが少なくなり、止水壁を容易に安定させた状態に保持することができる。
【００１８】
前記止水壁の外周面には、前記管渠の内周面に圧着されることによって弾性変形可能な筒形状のシール部材が設けられていてもよい。このようにシール部材を筒形状とすることによってその弾性変形量を大きくすることができ、管渠の内径差や内周面の凹凸等に追従してシール部材を弾性変形させて管渠の内周面にシール部材を密着させ、シール性を高めることができる。
【００１９】
また、前記止水壁の外周面に、前記管渠の内周面に圧着されることによって弾性変形可能なリップ部を有するシール部材が設けられていてもよい。このようにシール部材がリップ部を有していることによってその弾性変形量を大きくすることができ、管渠の内径差や内周面の凹凸等に追従してシール部材（リップ部）を弾性変形させて管渠の内周面にシール部材を密着させ、シール性を高めることができる。
【発明の効果】
【００２０】
本発明によれば、支持脚によって止水壁を安定して支持し、設置作業を行い易くすることができる。
【図面の簡単な説明】
【００２１】
【図１】本発明の第１の実施形態に係る止水壁装置を示す斜視図である。
【図２】（ａ）は止水壁装置を用いて下水道の管渠の内部に構築された仮設水路装置を示す平面断面図、（ｂ）は同側面断面図である。
【図３】止水壁装置の正面図である。
【図４】図３のＡ−Ａ矢視断面図である。
【図５】支持脚の接地部を拡大して示す正面図である。
【図６】取付バーの上部側の取付部位を拡大して例示する断面図である。
【図７】（ａ）は調整部を管渠の中心側から径方向外側へ見た説明図であり、（ｂ）は、（ａ）のＢ−Ｂ矢視断面図である。
【図８】固定手段の変形例を示す正面図である。
【図９】本発明の第２の実施形態に係る止水壁装置を示す斜視図である。
【図１０】本発明の第３の実施形態に係る止水壁装置のシール部材を示す断面図である。
【図１１】本発明の第４の実施形態に係る止水壁装置を示す正面図である。
【図１２】本発明の第５の実施形態に係る止水壁装置の止水壁を示す概略的な斜視図である。
【図１３】（ａ）は止水壁の概略的な平面図、（ｂ）は側面断面図である。
【発明を実施するための形態】
【００２２】
以下、図面に基づいて、本発明の実施形態を説明する。
図１は本発明の実施形態に係る止水壁装置１を示す斜視図、図２（ａ）は止水壁装置１を用いて下水道の管渠２の内部に構築された仮設水路装置３を示す平面断面図、図２（ｂ）は同側面断面図である。図２に示すように、この仮設水路装置３は、マンホール縦管４に接続された横向きの管渠２の断面内で下水をバイパスする仮設水路を構成することにより、当該管渠２の内周面を点検ないし補修するための作業空間を確保するためのものである。なお、以下の説明において、管渠２の延長方向を前後方向とし、この方向に直交する水平方向を幅方向乃至左右方向とする。
【００２３】
この仮設水路装置３は、管渠２の内部における所定の施工区間の上流側と下流側にそれぞれ配置された止水壁装置１と、この止水壁装置１の止水壁６に設けられた通水口７同士を互いに連結するバイパス管路５とを備えており、上流側の止水壁装置１で堰き止められた下水をすべてバイパス管路５に流すことにより、そのバイパス管路５の外側に作業空間を確保するように構成されている。
【００２４】
バイパス管路５は、その中心軸線が湾曲可能となる程度の可撓性を有するホース部材よりなり、より具体的には、外周壁が蛇腹構造５ａとなった蛇腹ホースが採用されている。このため、止水壁装置１で区画された施工区間内でホース部材を管渠２の幅方向に移動させることにより、管渠２の内周面のほぼ全域を露出させることができる。なお、バイパス管路５は、取り扱いの容易性および排水必要量の関係により、内径をφ２００ｍｍ程度としている。
【００２５】
図３は止水壁装置１の正面図であり、図４は図３のＡ−Ａ矢視断面図である。この止水壁装置１が備えている止水壁６の平面図である。止水壁装置１は、横断面円形の管渠２の断面下部を流れる水流を堰き止めることができる大きさに形成され、管渠２の内周面２ａに圧着される外周面を有している止水壁６と、この止水壁６を表裏方向に貫通するように形成された通水口７と、止水壁６の外周面を管渠２の内周面２ａに圧着させた状態で止水壁６を管渠２に固定するための固定手段１０とを備えている。止水壁６の外周面には、径方向（厚さ方向）に圧縮変形可能なシール部材１１が設けられている。
【００２６】
止水壁６は、水流を堰き止める止水板１３と、止水壁６の外郭を構成するとともに、止水板１３の外周縁を取り付ける外側枠体１４とを有している。止水板１３は、管渠２の内空断面の下側１／３〜１／２の高さの範囲を覆うことができる大きさに形成されている。止水板１３は上縁が略水平な直線状に形成され、下縁が管渠２の内周面２ａに沿って円弧状に形成されており、管渠２の断面下部を流れる水流を堰き止めることが可能となっている。また、止水板１３は、塩化ビニル樹脂等の透明な合成樹脂材によって形成されている。止水板１３を合成樹脂材により形成することによって止水壁装置１の軽量化を図ることができ、止水板１３を透明な材質とすることによって堰き止めた水の水位を目視することが可能となる。もっとも、止水板１３は金属製の板材によって形成してもよく、この場合、止水壁装置１の剛性を高めることができる。
【００２７】
外側枠体１４は、上枠部材１６と、下枠部材１７とから構成されている。上枠部材１６は、水平方向に延びる前後２本の棒材１８によって構成されている。この棒材１８は作業者が手で握ることができる程度の太さとされている。一方の棒材１８の下面には下向き（内向き）に突出する上フランジ部１９が設けられている。下枠部材１７は、管渠２の内周面２ａに略沿う円弧状に湾曲形成された帯状の板材によって構成され、その幅方向の両端部が、上枠部材１６の幅方向両端部に固着されている。この下枠部材１７の内周面には上向き（内向き）に突出する外周フランジ部２０が設けられている。上フランジ部１９および外周フランジ部２０には、止水板１３の外縁部がボルトおよびナットからなる締結具２１によって固定されている。
【００２８】
下枠部材１７の外周面には、シール部材１１が設けられている。シール部材１１は、圧縮変形可能な部材であり、例えば、発泡樹脂製やゴム製である。シール部材１１は、周方向に均一の厚さ（周方向に同じ断面形状）で下枠部材１７の外周面に設けられている。シール部材１１は、圧縮変形することで管渠２の内周面２ａに対して水密的に圧着される。
【００２９】
止水板１３には、水流方向に貫通している孔２４が設けられていて、この孔２４と連続してパイプ部材２５が取り付けられている。このパイプ部材２５が通水口７となり、当該パイプ部材２５にバイパス管路（図２）の端部を嵌合することによって、両者が接続されるようになっている。
【００３０】
止水壁装置１は、止水壁６を支持する支持脚２７を備えている。本実施形態の支持脚２７は合計４本設けられており、図３および図４に示すように、管渠２の幅方向中心線Ｌ１を挟む対称位置で、止水壁６の表裏両側に設けられている。図４に示すように、各支持脚２７は、止水板１３の板面から表裏方向（前後方向）に突出する第１の部分２８と、この第１の部分２８の前後端部からほぼ下向きに屈曲する第２の部分２９とによって略Ｌ字形状に形成された脚部３０と、この脚部３０の先端部（第２の部分２９の下端部）に設けられた接地部３１とを備えている。接地部３１は止水壁６から表裏方向（前後方向）に離れた位置で管渠２の内周面２ａに接地している。
【００３１】
脚部３０の基端部（第１の部分２８の端部）は、上下方向に延びる取付バー３２に連結されており、この取付バー３２は、上部および下部がボルトやナットからなる締結具３３によって上フランジ部１９および外周フランジ部２０に着脱可能に取り付けられている。
取付バー３２と脚部３０との間には補強部材３４が斜めに架設されている。
【００３２】
取付バー３２は、例えば図６に示すような形態で取り付けることができる。図６は、取付バー３２の上部側の取付部位を拡大して例示する断面図であるが、取付バー３２の下部側についても同様の形態で取り付けることができる。図６（ａ）に示す形態では、締結具３３がボルト３５とナット３６とからなり、ボルト３５のねじ部を一方の取付バー３２、止水板１３、上フランジ部１９、および他方の取付バー３２に貫通させ、ナット３６を締結することによって、双方の取付バー３２を共締め固定している。ボルト３５の頭部とナット３６との外周部は、合成樹脂材等によって形成されるとともに表面に滑り止めの凹凸が形成され、工具を使用せずに手で締結することができるように構成されている。
【００３３】
図６（ｂ）に示す形態では、締結具３３が、前後方向に突出するように上フランジ部１９に形成された雄ねじ部３８と、この雄ねじ部３８に螺合されるナット３９とを備えており、各雄ねじ部３８を取付バー３２に貫通させてナット３９を締結することによって、各取付バー３２を固定している。このナット３９の外周面も上記と同様に工具を使用せずに手で締結できるように構成されている。
また、図示していないが、上フランジ部１９に対してナットを固定しておき、このナットに対して取付バー３２を貫通する頭付きボルトを螺合することによって、取付バー３２を固定しても良い。
【００３４】
図３に示すように、支持脚２７は、接地部３１が管渠２の内周面２ａに対して略垂直に接地するように傾けて取り付けられている。すなわち、支持脚２７の第２の部分２９や取付バー３２が、管渠２の中心（止水壁６の外周面の曲率中心）Ｏを通る仮想線Ｌ２に沿うように取り付けられている。
図５は、接地部３１を拡大して示す正面図である。接地部３１は、略円盤状に形成されるとともに上方に突出する雄ねじ部４１を備えている。この雄ねじ部４１が脚部３０の第２の部分２９に形成された雌ねじ部４２に螺合されることによって、接地部３１が脚部３０に取り付けられている。また、雌ねじ部４２に対する雄ねじ部４１の螺合量を調整することによって、脚部３０に対する接地部３１の突出量を調整することができ、これによって管渠２の内周面２ａに対して確実に接地部３１を接地させることができる。
【００３５】
図１および図３に示すように、固定手段１０は、管渠２の内空断面の幅方向中心線Ｌ１から見て左右対称となる止水壁６の幅方向両端部に荷重を加えるものであり、幅方向一対の支持アーム４４と、この一対の支持アーム４４の上端部間に設けられる固定バンド４５とを備えている。この固定手段１０は、止水壁６の幅方向両端部を押し下げることによりシール部材１１を管渠２の内周面２ａに圧着させた状態で止水壁６を管渠２内に固定する機能を有している。
【００３６】
支持アーム４４は、外側枠体１４の上枠部材１６の上面に設けられている。この支持アーム４４の基端部は、上枠部材１６の幅方向両端部に固定された軸支持部４７に前後方向の軸体４８を介して揺動可能に取り付けられている。各支持アーム４４は、幅方向内側（中心線Ｌ１側）に揺動させることによって上枠部材１６の上部に沿った収納姿勢をとり（２点差線で示す）、幅方向外側に揺動させることによって先端部（上端部）が管渠２の内周面２ａに当接された支持姿勢（起立姿勢）をとる。また、各支持アーム４４の先端部には、支持姿勢をとったときに固定バンド４５の長手方向両端部を受ける第１，第２バンド受部４９，５０が設けられている。
なお、支持姿勢とされた支持アーム４４は、基端部（軸体４８の位置）よりも先端部が幅方向外側に位置するように傾斜している。
【００３７】
固定バンド４５は、厚さ方向に弾性変形自在な板材、例えばゴム製の板材よりなり、支持姿勢とされた一対の支持アーム４４の先端部間における管渠２の内周長さにほぼ等しい長さに形成されている。なお、固定バンド４５は、硬質プラスチック製のばね板であってもよい。固定バンド４５の長手方向中央付近にはハンドル部５２が設けられている。この固定バンド４５の長手方向各端部が、一対の支持アーム４４の先端部（第１バンド受部４９、第２バンド受部５０）にそれぞれ受け持ち支持される。そして、固定バンド４５を管渠２の内周面２ａに沿わせて押し当てることで、当該固定バンド４５には周方向の圧縮力が作用し、その結果、固定バンド４５が支持アーム４４を介して止水壁６の幅方向両端部を押し下げ、シール部材１１を管渠２の内周面２ａに圧着させる。
【００３８】
第１バンド受部４９は、固定バンド４５の長手方向一端部を差し込み可能となるように上向きに開放したコの字形状に形成されている。固定バンド４５の他端部には調整部５４が設けられており、第２バンド受部５０は、この調整部５４を受け持ち支持できるように平板状に形成されている。
【００３９】
調整部５４は、固定バンド４５の端部と支持アーム４４の第２バンド受部５０との距離を変更可能とするものである。図７（ａ）は調整部５４を管渠２の中心側から径方向外側へ見た説明図であり、図７（ｂ）は、（ａ）のＢ−Ｂ矢視断面図である。この調整部５４は、上下方向の軸心を有するねじ軸５６と、固定バンド４５の長手方向端部に固定され、ねじ軸５６の回転に伴って上下動する取付部材５７とを有している。取付部材５７は、一対の対向壁５７ａ，５７ｂと、一方の対向壁５７ｂの下端から屈曲する底壁５７ｃと、一対の対向壁５７ａ，５７ｂ及び底壁５７ｃの両端部を相互に接続する一対の側壁５７ｄとを有している。一対の対向壁５７ａ，５７ｂおよび一対の側壁５７ｄの間には固定バンド４５の端部が挿入され、一対の対向壁５７ａ，５７ｂに架設されたボルト、ナットからなる取付具５８によって固定されている。固定バンド４５の端部は、底壁５７ｃに当接されている。固定バンド４５の端部の幅方向両側には、ねじ軸５６との干渉を避ける切り欠け部４５ａが形成されている。取付部材５７の底壁５７ｃには、２個の取付ナット６０が固定され、各ナット６０にそれぞれねじ軸５６が螺合されている。
【００４０】
ねじ軸５６の下端部には当接部６２が設けられている。この当接部６２は略円盤状に形成されており、その下面が第２バンド受部５０の上面に当接される。当接部６２は、第２バンド受部５０上で手動によって回転可能とされ、この当接部６２を回転操作することによってねじ軸５６に螺合した取付ナット６０をねじ軸５６に沿って移動させることができ、第２バンド受部５０と固定バンド４５の端部との距離を調整することができる。その結果、管渠２の内周面２ａに対する固定バンド４５の押し付け力が調整される。
【００４１】
上記実施形態の止水壁装置１を管渠２内に設置する作業について説明する。まず、止水壁装置１を管渠２内に搬入する。この搬入の際には、止水壁６から支持脚２７を取り外しておくとともに、支持アーム４４を収納姿勢に折り畳んでおく。これによって、止水壁６から突出する部分が少なくなり、運搬等の取り扱いが容易になる。また、止水壁６の止水板１３が合成樹脂製とされることによって軽量化されているので、運搬等の取り扱いがより容易となる。さらに、止水壁６の上枠部材１６が棒材１８によって構成され、この棒材１８は作業者が握ることができる太さに形成されているので、この棒材１８を手で持つことによっても止水壁６の運搬がより容易になる。
【００４２】
次に、止水壁６に対して支持脚２７を取り付け、その後、止水壁６を所定の設置箇所に位置づけ、支持脚２７の接地部３１を管渠２の内周面２ａに接地させる。この際、管渠２内の水に流れがあったとしても、支持脚２７が接地することによって止水壁６を支持することができ、止水壁６が傾いたり倒れたりするのを防止することができる。また、支持脚２７が、管渠２の幅方向中心Ｌ１を挟んで両側に設けられていること、および、表裏方向の両側に設けられていることによって、止水壁６をより安定した状態で支持することができる。なお、支持脚２７は、止水壁６を管渠２の内周面２ａに固定した後も止水壁６を安定して支持するために機能する。
【００４３】
次に、支持アーム４４を上方に揺動させることによって支持姿勢とし、支持アーム４４の先端部を管渠２の内周面２ａに当接させる。そして、固定バンド４５の長手方向各端部をそれぞれ第１バンド受部４９および第２バンド受部５０に載せ、撓んだ状態の固定バンド（図３に２点差線で示す）を上昇させて管渠２の内周面２ａに押し付ける。これにより、固定バンド４５が管渠２の内周面２ａに沿ったアーチ型に弾性変形するとともに、周方向の圧縮によって生じる弾性復元力（突っ張り力）が支持アーム４４を介して止水壁６の幅方向両端部に作用することによって、当該止水壁６が下方へ押し込まれ、シール部材１１が圧縮変形して管渠２の内周面２ａに対して圧着される。また、調整部５４を用いることによってシール部材１１の圧着度合いを調整することができる。
【００４４】
本実施形態の固定手段１０は、支持アーム４４と固定バンド４５とを備えているので、固定バンド４５のみによって構成されていた従来に比べて、固定バンド４５を短くすることができる。したがって、固定バンド４５の運搬や着脱作業等の取り扱いが容易になり、また、固定バンド４５が長大化することによって自重で下方に撓み、外れてしまうというような問題が生じることはない。また、内径の大きな管渠２に対しても固定バンド４５の長さをそれほど長くする必要がないので、当該管渠２に対して固定バンド４５を使用した止水壁６の固定が可能となる。なお、本実施形態の止水壁装置１は、例えば、管径がφ１５００〜２０００ｍｍの管渠２に対して適用することができる。
【００４５】
また、支持アーム４４は、支持姿勢においてやや幅方向外側に傾いているので、固定バンド４５からの周方向の突っ張り力が作用すると、上端部が幅方向外側へ向けて管渠２の内周面２ａに押し付けられる。したがって、支持アーム４４が自然に幅方向内側へ倒れてしまうことはなく、固定状態を好適に維持することができる。
また、支持アーム４４は止水壁６の幅方向両端部に配置され、固定バンド４５は管渠２の内周面２ａに沿ったアーチ型となるので、作業員が、止水壁６を跨いで施工区間に出入りする際に、支持アーム４４や固定バンド４５が邪魔になることはほとんどない。
【００４６】
一方、止水壁装置１を管渠２から取り外すには、固定バンド４５に設けられているハンドル部５２を下方に引っ張って固定バンド４５のアーチ形状を崩し、固定バンド４５による突っ張り力を解除する。そして、固定バンド４５の両端部を支持アーム４４の上端部から外せばよい。このように、固定バンド４５を取り外すにはハンドル部５２を下方に引っ張るだけよいので、止水壁６の取り外し作業が極めて簡単である。また、支持アーム４４を収納姿勢に折り畳むとともに、支持脚２７を止水壁６から取り外すことによって、管渠２から止水壁６を搬出する作業を容易に行うことができる。
【００４７】
なお、止水壁６を固定するための固定手段１０は、上記に説明した構成とは異なる構成としてもよい。例えば、固定手段１０は、図８に示すように、管渠２の内周長さと止水壁６の外周長さの差にほぼ等しい長さの固定バンド４５を用いて止水壁６を固定するものであってもよい。この固定バンド（固定方法）は、上記実施形態と比べて内径の小さい管渠２に対して止水壁６を固定するのに適しており、例えば、管径が８００〜１３５０ｍｍの管渠２に適用することができる。また、固定手段１０は、止水壁６の上縁部の幅方向両端部や中央部と、管渠２の内周面２ａの上部側との間に突っ張り棒を介在させることによって止水壁６を固定するものであってもよい。
【００４８】
支持脚２７は、止水壁６の表裏各側において止水壁６の幅方向両側に設けられているが、幅方向中央に設けられていてもよい。また、支持脚２７は、止水壁６の表裏片側のみに設けられていても良い。表裏片側に支持脚２７を設ける場合、水流による止水壁６の倒れを防止するために、止水壁６に対して水流方向の下流側に支持脚２７を設けるのがより好ましい。
【００４９】
上記実施形態において、支持アーム４４は、止水壁６の上縁部に折り畳み可能に設けられているが、止水壁６の上縁部に固定（固着）されていてもよい。この場合、支持アーム４４は幅方向外側に傾斜せず、上方に向けて垂直に起立するとともに上端部が管渠２の内周面の近傍位置に配置されていてもよい。固定バンド４５には、長手方向両端部に調整部５４が設けられていてもよい。
【００５０】
外側枠体１４の上枠部材１６は２本の棒材１８から構成されているが、幅方向の一部（例えば、幅方向中央部）において、２本の棒材１８を相互につなぐプレート６５（図３に２点差線で例示）を設けてもよい。このようなプレート６５を設けることによって、例えば、固定バンド４５による固定が不十分である場合に、プレート６５と管渠２の内周面２ａの上端部との間に突っ張り棒を設けることができ、止水壁６をより強固に固定することが可能となる。
【００５１】
図９は、本発明の第２の実施形態に係る止水壁装置を示す斜視図である。本実施形態は、支持脚２７の構成が第１の実施形態と異なり、その他の構成は第１の実施形態と概ね同一である。本実施形態の支持脚２７は、外側枠体１４の下枠部材１７の幅方向中央部を部分的に表裏方向に突出させることによって構成されている。すなわち、本実施形態の支持脚２７は止水壁６（特に、下枠部材１７）と一体に形成されている。そして、この支持脚２７が管渠２の内周面２ａに接地することによって止水壁６の表裏方向の倒れを防止することができる。
【００５２】
なお、支持脚２７の先端部には、第１の実施形態で説明したような上下位置調整自在な接地部３１（図５参照）を設けてもよい。また、図示例では、支持脚２７は、表裏方向の一方側のみに設けられているが、他方側にも設けてもよい。また、支持脚２７は、下枠部材１７の表裏両側又は片側の、幅方向両側に形成してもよい。また、表裏方向の一方側に本実施形態の支持脚２７を設け、他方側に第１の実施形態の支持脚２７を設けてもよい。
【００５３】
図１０は、本発明の第３の実施形態に係る止水壁装置のシール部材を示す断面図である。図１０（ａ）に示すシール部材１１は、ゴム等の弾性材料によって筒状（中空状）に形成されている。このようにシール部材１１を筒状に形成すると、径方向（上下方向）の弾性変形量を大きくすることができ（例えば、径方向に５０ｍｍ程度）、管渠２の内径差や内周面２ａの凹凸等に追従して好適にシール部材１１を径方向に変形させることができ、シール性を高めることが可能である。
【００５４】
なお、筒状のシール部材１１の断面形状は、図１０（ａ）に示すような矩形断面に限らず、円形断面（楕円、長円、半円等を含む）、三角形や五角形以上の多角形断面、又はこれらとは異なる変則的な形状の断面であってもよい。また、この筒状のシール部材１１は、その素材の剛性によって形状が保たれるものに限らず、中空内部の空気圧によって形状が保たれるものであってもよい。この場合、止水壁６の設置の際に、シール部材１１の内部に空気を充填することによってシール部材１１を膨らませる構成とすることができる。これによって、管渠２の内径差や内周面２ａの凹凸等により追従してシール部材１１を変形させることが可能となり、よりシール性能を高めることができる。
【００５５】
図１０（ｂ）に示すシール部材１１は、ゴム等の弾性材料からなり、外周部に周方向に延びるリップ部１１ａが前後方向に複数条形成されたものである。すなわち、このシール部材１１は、リップ部１１ａが管渠２の内周面２ａに接触して弾性変形することによって、管渠２の内径差や内周面２ａの凹凸等に追従することが可能であり、これによってシール性を高めることができる。
【００５６】
図１０に示すようなシール部材１１を使用した場合、シール部材１１の径方向の変形量が大きくなるため、この変形量に対応するために固定バンド４５（図３参照）の長さ調整が必要となる。前述の実施形態では、図７に示す調整部５４によって固定バンド４５の調整が可能であったが、この構成では、ねじ軸５６の長さの範囲（例えば１５ｍｍ程度）しか調整できず、シール部材１１の大きな変形量に対応するのは困難である。
【００５７】
そこで、次に説明する第４の実施形態の止水壁装置は、調整量の小さい固定バンド４５であっても好適に使用し得る構成を備えている。図１１は、本発明の第４の実施形態に係る止水壁装置を示す正面図である。この実施形態では、支持アーム４４が外側枠体１４の上枠部材１６に対して幅方向に位置調整可能に設けられている。具体的には、軸支持部４７が上枠部材１６上に幅方向に移動可能（スライド可能）に取り付けられており、複数段階又は無段階で幅方向の位置を調整し、位置決めできるように構成されている。軸支持部４７の位置決めは、例えば上枠部材１６及び軸支持部４７に対して挿脱可能なロックピン６６を着脱自在に取り付けることによって行うことができる。軸支持部４７の位置を調整すると、支持アーム４４の先端部の第１，第２バンド受部４９，５０の高さが変わり、固定バンド４５が配置される第１，第２バンド受部４９，５０間の距離が調整される。
【００５８】
したがって、シール部材１１の弾性変形が大きく、止水壁６がより下方に下がった場合には、軸支軸部４７をより幅方向外側に配置して、支持アーム４４先端の第１，第２バンド受部４９，５０をより高位置に配置し、第１，第２バンド受部４９，５０間の距離を短くする。これによって、固定バンド４５の調整量が小さくても使用することが可能となる。
【００５９】
図１２は、本発明の第５の実施形態に係る止水壁装置の止水壁を示す概略的な斜視図であり、図１３は、同止水壁の概略的な平面図および側面断面図である。なお、これらの図ではシール部材１１や支持脚２７、固定手段１０等が省略されている。本実施形態の止水壁６は、外側枠体１４に対して止水板１３を簡単に着脱できるようにしたものである。外側枠体１４の下枠部材１７の内周面には、径方向内方に突出する前後一対の嵌合板６７が設けられ、この一対の嵌合板６７の間には、止水板１３の外周部を差し込むための挿入溝６８が形成されている。そして、この挿入溝６８に対して止水板１３を上方から差し込むことによって、止水板１３が外側枠体１４に対して取り付けられる。
【００６０】
本実施形態では、止水壁装置１を管渠２内に設置する際に、外側枠体１４から止水板１３を取り外しておき、管渠２内の水流の影響を受けにくい状態で止水壁６の外周面を管渠２の内周面２ａに当接させる。そして、止水壁６を固定手段１０によって固定したのち、挿入溝６８に対して止水板１３を差し込むことによって、止水壁６の設置作業を容易に行うことができる。
なお、図１２、図１３に示す例では、支持脚２７が省略されているが、外側枠体１４等に第１，第２実施形態で示した支持脚２７を着脱可能に取り付け、又は一体化すればよい。
【００６１】
本発明は、上記各実施形態に限定されず、適宜設計変更可能である。
【符号の説明】
【００６２】
１  止水壁装置
２  管渠
６  止水壁
７  通水口
１０  固定手段
１３  止水板
１８  棒材
２７  支持脚
４４  支持アーム
４５  固定バンド
６８  挿入溝
【図１】
2010222877.tif 000003
【図２】
2010222877.tif 000004
【図３】
2010222877.tif 000005
【図４】
2010222877.tif 000006
【図５】
2010222877.tif 000007
【図６】
2010222877.tif 000008
【図７】
2010222877.tif 000009
【図８】
2010222877.tif 000010
【図９】
2010222877.tif 000011
【図１０】
2010222877.tif 000012
【図１１】
2010222877.tif 000013
【図１２】
2010222877.tif 000014
【図１３】
2010222877.tif 000015